(57)【特許請求の範囲】
【請求項１】
空気を取り込むためのファン及びモータと、空気浄化用のフィルタと、これらを収納するハウジング等で構成され、上記モータにはモータをフィードバック制御するためにモータの回転数信号を出力する回転数検知手段が搭載されている空気清浄器において、上記モータの回転数検知手段からの回転数信号を取り込んでファン等の回転体の単位時間当たりの回転数を計測する計測回路と、計測した回転数を表示する表示部と、回転数表示のために決められた２つ以上のスイッチとを備え、上記決められた２つ以上のスイッチ入力が同時に且つ所定時間以上あったときのみ計測した回転数を表示させるように構成したことを特徴とする空気清浄器。
【請求項２】
外部から見えない場所に配置されている回転体の単位時間当たりの回転数を計測して表示することを特徴とする請求項１記載の空気清浄器。
【請求項３】
計測した回転数を数字で表示する数字表示部を備えていることを特徴とする請求項１又は請求項２記載の空気清浄器。
【請求項４】
計測した回転数をランプ・ＬＥＤ等の発光体で表示するモード表示部を備えていることを特徴とする請求項１又は請求項２記載の空気清浄器。
【請求項５】
回転数信号が入力されないときには回転体が外力により拘束されたと判断して制御信号により回転体を停止させることを特徴とする請求項１又は２記載の空気清浄器。
【発明の詳細な説明】
【０００１】
【発明の属する技術分野】
本発明は、空気清浄器に関し、詳しくは、出荷前の工場内で空気清浄器の特性の１つであるファンの回転数を検査する技術に関するものである。
【０００２】
【従来の技術】
空気清浄器の特性項目の１つに、回転体（ファン等）の回転数があるが、通常、回転体の回転数を計測するにあたっては、反射式の回転数測定装置を用いて行われている。つまり、出荷前の工場において、回転している回転体に光を当てて、その反射回数などから単位時間当たりの回転数を計測する方法が一般的に行われている。
【０００３】
【発明が解決しようとする課題】
しかしながら、製品外部から回転体が見えない場合にあっては、従来の回転体に光を当てる方法では計測することができない。なお上記以外にも回転数を計測する方法はあるが、計測設備が高価であり、容易に導入することが困難であった。
【０００４】
本発明は、上記の従来例の問題点に鑑みて発明したものであって、その目的とするところは、出荷前の工場内での特性検査において、モータのフィードバック制御を行う際に使用する回転数信号（フィードバック信号）を利用して回転数を表示させることができ、これにより、設備投資をせずに低コストでしかも容易にモータの特性を検査することができる空気清浄器を提供するにあり、他の目的とするところは、製品外部から回転体が見えない場合であっても、回転体の回転数を計測して表示できる空気清浄器を提供するにある。
【０００５】
【課題を解決するための手段】
上記課題を解決するために本発明にあっては、空気を取り込むためのファン１６Ａ及びモータ１４と、空気浄化用のフィルタと、これらを収納するハウジング７等で構成され、上記モータ１４にはモータ１４をフィードバック制御するためにモータ１４の回転数信号を出力する回転数検知手段４０が搭載されている空気清浄器において、上記モータ１４の回転数検知手段４０からの回転数信号を取り込んでファン１６Ａ等の回転体１６の単位時間当たりの回転数を計測する計測回路４５と、計測した回転数を表示する表示部５０と、回転数表示のために決められた２つ以上のスイッチとを備え、上記決められた２つ以上のスイッチ入力が同時に且つ所定時間以上あったときのみ計測した回転数を表示させるように構成したので、出荷前の工場にて空気清浄器４３の特性項目の１つであるファン１６Ａ等の回転体１６の回転数を計測するにあたって、モータ１４に搭載されている回転数検知手段４０からの回転数信号（フィードバック信号）を取り込んで回転数を計測することによって、フィードバック制御が行われるモータ１４の特性を利用して、回転数を容易に計測・表示することが可能となる。しかも、決められた２つ以上のスイッチ入力が同時に且つ所定時間以上あったときのみ計測した回転数を表示させるので、ユーザーによる通常使用時の誤作動防止を図ることができる。
【０００６】
また上記外部から見えない場所に配置されている回転体１６の単位時間当たりの回転数を計測して表示することが可能であるので、従来のような反射式の回転数測定装置による回転数の計測を行うことができない場合であっても回転数の計測・表示が可能となる。
【０００７】
また上記計測した回転数を数字で表示する数字表示部５１を備えているのが好ましい。
【０００８】
また上記計測した回転数をランプ・ＬＥＤ等の発光体で表示するモード表示部５２を備えているのが好ましい。
【０００９】
また上記回転数信号が入力されないときには回転体１６が外力により拘束されたと判断して制御信号により回転体１６を停止させるのが好ましく、この場合、回転数信号によって通常の拘束検知手段よりも早くしかも確実に、回転体１６の拘束状態を検知でき、モータ１４をいち早く安全なロック状態にすることができる。
【００１０】
【発明の実施の形態】
以下、本発明を添付図面に示す実施形態に基づいて説明する。
【００１１】
図２は、横向き姿勢で壁に設置される壁付けタイプの空気清浄器４３の内部構造の一例を示している。この空気清浄器４３は、放電部１及び対極部２を有し、放電部１から対極部２へ向かう放電により粉塵を帯電させる帯電手段３と、帯電された粉塵を捕集する集塵手段４と、これら帯電手段３及び集塵手段４へと空気を送る送風手段５と、これらを収納する箱型のハウジング７とを備えている。ハウジング７は壁表面Ｗに近接配置され、ハウジング７と壁表面Ｗとの間には、銅を含有させた不織布からなる導電性シートＳが介在されており、導電性シートＳと帯電手段３の電気回路とが電気的に接続されている。ハウジング７の後側上端部分には支持片部４９が一体に形成され、家屋内の壁表面Ｗに取り付け固定された支持金具１１に支持片部４９を係上させることによって、壁表面Ｗにハウジング７は容易に引っ掛け支持されるようになっている。
【００１２】
ハウジング７は、前面が開口した横長の箱型で、ハウジング７の開口した前面には、この開口全面を閉塞するグリル９が取り付けられている。ハウジング７の上側面部には空気吐出口１０が、下側面部には空気吐出口１０よりも開口面積の大きい空気取り入れ口７ａが各々配設されている。また、グリル９の中程部分は若干前方に膨曲した前面部として形成され、この前面部の上下両側に細長状の空気取り入れ口７ｃ、７ｂがそれぞれ形成されている。ここでは、空気取り入れ口７ａと空気取り入れ口７ｂとが、帯電手段３及び集塵手段４の周辺付近に配置されている。上下両側の空気取り入れ口７ｃ，７ｂは、横方向に長い長方形状に形成され、複数の横長スリットを並設した様相のガラリ状枠体が両空気取り入れ口７ｂ，７ｃに各々着脱自在に取り付けられている。
【００１３】
ハウジング７内には、プレフィルタ１２、帯電手段３となる放電部１及び対極部２、集塵手段４が吸込側からこの順で収容配置され、機械的及び電気的に集塵するものとして、ハウジング７に内装されている。ここで、プレフィルタ１２は比較的大きな粉塵を補集するものであり、帯電手段３は吸い込まれた粉塵を帯電させるもので、集塵手段４は粉塵を補集したり臭気分を脱臭したりするものである。帯電手段３及び集塵手段４は、両者間の隙間がその外周で閉塞されるように一体のケーシング６内に収容保持されている。ケーシング６は合成樹脂製一体成形品からなり、上下方向に開口する矩形箱型に形成されている。ケーシング６には、対極部２を保持する係止部８がケーシング６と一体に形成されており、ケーシング６はハウジング７に出し入れできるように、前後方向にスライド自在に係合保持されている。
【００１４】
ケーシング６内には、放電部１となる複数本の放電線１３が張設されていると共に、放電線１３に対向配置されるように波型で多数の小孔を有したパンチングネットからなる対極部２が取り付けられている。放電線１３は、例えば線形の細いタングステン線或いはピアノ線で形成されている。ここでは放電部１として、複数本の放電線１３に代え、放電用の電極としての薄板状の打ち抜き針を用いてもよい。
【００１５】
また、ケーシング６内に収容保持される集塵手段４は、極細の繊維が配合された濾材で形成される集塵部１７と、該集塵部１７の下流側面を覆う中敷シート（図示せず）と、中敷シートの下流側に充填される活性炭などの脱臭剤１８とを備えている。図中の１９は導電性を有するカバーリング材であり、ハウジング７の最下流側に装着されている。
【００１６】
集塵手段４の下流側には、送風手段５としてシロッコファンからなるファン１６Ａが設置されている。ファン１６Ａはモータ１４によって駆動されるもので、ファン１６Ａを駆動させると、空気取り入れ口７ａ，７ｂ，７ｃからハウジング７内に空気が吸い込まれ、プレフィルタ１２から帯電手段３及び集塵手段４を通過して、機械的及び電気的に浄化される。このときプレフィルタ１２で粗いホコリが除去され、次の帯電手段３でホコリ等を帯電させる。この帯電したホコリはクーロン力で次の集塵手段４のフィルタ部に引き寄せられて除去され、臭い（ガス）成分はフィルタ内部の脱臭剤１８に吸着される。フィルタを通過した空気は送風手段５を経て空気吐出口１０からハウジング７の外部へ排出されて、家屋内の汚れた空気から粉塵や臭気等が補集、脱臭されるようになっている。
【００１７】
一方、図３は縦向き姿勢で床に設置される状態を示し、図４は横向き姿勢で床に設置される状態を示し、これらの据え置きタイプの空気清浄器４３の基本構造は、前記図２の壁付けタイプの空気清浄器４３と同様であり、対応する部分には同一符号を付しておく。
【００１８】
図３、図４において、ハウジング７の前面部にグリル９を着脱自在に取り付けて外郭を構成してあり、グリル９の一側部には、図３（ｂ）に示すように、格子部２０が設けてあり、また、ハウジング７の一側面部の後部には図３（ａ）に示すように、別の格子部２１が設けてあり、これら格子部２０，２１がファン１６Ａの回転による空気取り入れ口となっている。また、ハウジング７の他側面部に更に別の格子部２２が設けてあり、この格子部２２が浄化された空気吐出口となっている。
【００１９】
ハウジング７の最上部には、制御回路基板２４（図４）が配置されている。この制御回路基板２４には、ハウスダストや花粉粒子などの汚れ物質であるダストを検出するダストセンサ２３、赤外線センサなどからなる人体感知センサ２５、臭い成分やガス成分を検知する臭いセンサ３１などがそれぞれ接続されている。
【００２０】
ダストセンサ２３、臭いセンサ３１は、図５に示す操作パネル３４に設けた格子部３５、３６にそれぞれ面して配置してある。格子部３５、３６は、それぞれ、空気取り入れ口となる格子部２０の近くに配置され、空気取り入れ口に吸引される空気に乗ったダストをダストセンサ２３が検知しやすいものとなっており、一方、空気中の臭い成分やガス成分を臭いセンサ３１が検知しやすいものとなっている。
【００２１】
一方、人体感知センサ２５は操作パネル３４に設けた光透過部３８に面して配置してあり、人体を感知すると、感知信号が制御部４１（図１）に送られて空気清浄器４３を運転し、人体の感知がなくなると空気清浄器４３を停止するように制御される。この人体感知センサ２５を操作パネル３４の中央に配置することで、空気清浄器４３を縦置きに設置しても横置きに設置しても人体感知センサ２５は中央に位置して、人体の感知がしやすくなっている。
【００２２】
なお、図３、５に示す例では、ダストセンサ２３、臭いセンサ３１、人体感知センサ２５がそれぞれ搭載されているが、図６（ａ）〜（ｃ）に示すように、ダストセンサ２３、臭いセンサ３１、人体感知センサ２５のすべてが搭載されていなくてもよく、また、図７（ａ）（ｂ）に示すように、ダストセンサ２３がなくてもよい。図中の３２は紫外線センサである。
【００２３】
操作パネル３４は、縦置き用と横置き用との２種類があり、説明の文字等の向きが縦向き用と横向き用とで異なっている。従って、図３のような縦向きの場合には縦置き用の操作パネル３４をグリル９の最上部に取り付け、図２、図４のような横向きの場合には横置き用の操作パネル３４をグリル９の一側部に取り付けるようにすることによって、縦向き、横向きのいずれの場合でも説明の文字の方向が正しい方向となる。
【００２４】
さらに、操作パネル３４には、図５に示すように、フィルタ交換表示ランプ２７、フィルタ交換表示ランプ２７が点灯したときにこれを消灯するためのリセットボタン２６、電極洗浄ランプ２８、タイマ表示用ＬＥＤ２９、タイマ切り釦３０、風量切り替え釦３３がそれぞれ配置してあり、これらは操作パネル３４の表面側からの操作ができるようにしてある。なお電極洗浄ランプ２８が点灯したときはグリル９を外して内部の電極部分を洗浄する。タイマ表示用ＬＥＤ２９はタイマ表示時間の残り時間を表示するものであり、タイマ切り釦３０を押してタイマ運転時間の残り時間表示を（１，２，３，４）→オフというようにセットできるものである。また風量切り替え釦３３を押すことで、運転モードを自動モード、静音運転モード、標準運転モード→急速運転モード→オフという順番で切り替えることができるようになっている。またタイマ及び風量切替は付属のリモコンでも操作可能になっている。
【００２５】
また、操作パネル３４のダストセンサ２３が設けられる部位とは反対側の端部には、ダストセンサ２３により検知した室内のダストによる汚れ度表示と、臭いセンサ３１により検知した室内汚れ度表示をする表示部５０が設けてある。表示部５０は、制御回路基板２４（図４）に対して回転自在に挿入してある。これにより空気清浄器４３を縦置きに設置しても横置きに設置しても表示部５０の向きを縦向きにでき、表示が見やすくなるようにしてある。表示部５０は操作パネル３４に設けた汚れ度表示面３７に対応して設けられており、汚れ度表示面３７を通して表示部５０を視認できるようにしてある。
【００２６】
表示部５０は、計測した数値を数字で表示する数字表示部５１と、計測した数値を発光体で表示するモード表示部５２とを備えている。数字表示部５１は、７セグメントＬＥＤや液晶表示等による３桁のデジタル表示とし、モード表示部５２はランプ・ＬＥＤ等による４桁のレベル表示としてある。本発明では、ユーザーの通常使用時には、ダストセンサ２３の汚れ度表示か臭いセンサ３１の汚れ度表示のいずれか一方を数字表示部５１で表示し、他方をモード表示部５２で表示するようにしている。一方、出荷前の工場内でのモータ特性の検査時にあっては、空気清浄器４３の特性項目の１つである回転体１６の回転数を、数字表示部５１又はモード表示部５２のいずれか一方を利用して表示するようにしている。
【００２７】
一方、空気清浄器４３のモータ１４には回転数検知手段４０（図１）が搭載されている。この回転数検知手段４０は、本来はモータ１４の回転数信号（フィードバック信号）を出力してモータ１４のフィードバック制御を行うために使用されるものであり、例えばホールＩＣ等で構成されている。また制御部４１には、回転数検知手段４０からの回転数信号を取り込んで回転体１６の単位時間当たりの回転数を計測するための計測回路４５が設けられており、出荷前の工場内でのモータ特性検査時においては、計測回路４５に上記フィードバック信号を取り込んで回転数を計測し、この計測した回転数をハウジング７の操作パネル３４に設けた上記表示部５０において表示できるようになっている。
【００２８】
しかして、出荷前の工場にて空気清浄器４３の特性項目の１つである回転体１６の回転数の計測を行うにあたって、図２〜図４に示すように、空気清浄器４３の外部から空気吐き出し口などを通して内部のファン１６Ａを見ることはできない場合にあっては、従来のような反射式の回転数測定装置による回転数の計測を行うことはできない。そこで本実施形態では、モータ１４に搭載されているホールＩＣ等の回転数検知手段４０からのフィードバック信号（モータ１４の回転数に応じて決まった信号）を制御部４１に取り込み、判断・処理する。つまり、計測回路４５によりフィードバック信号の周波数から１分間当たりの回転体１６の単位時間当たりの回転数を計測して、表示部５０に表示させる。これにより、出荷前の工場において、製品外部から回転体１６が見えない場合であっても、モータ１４からのフィードバック信号を利用して、空気清浄器４３の特性の１つである回転体１６の回転数を容易に計測・表示することが可能となる。
【００２９】
次に、回転数を表示する手段として、図８にその一例を示す。ちなみに、回転数の表示が通常のスイッチの入力操作で行われるようにすると、出荷後のユーザー使用時に不意に回転数が表示されてしまい、違和感を与えることがある。そこで工場での検査時には、通常のスイッチの入力操作とは異なる入力操作で回転数を表示させるようにしている。なお、以下の実施形態において回転数表示のために使用されるスイッチとしては、例えば、操作パネル３４に設けられたリセットボタン２６、タイマ切り釦３０、風量切り替え釦３３などのうちのいずれか２つを選択して使用することが考えられる。もちろん、操作パネル３４上のスイッチ類には限らず、付属のリモコンに設けられているスイッチ類を使用することも考えられる。
【００３１】
また、ユーザーによる通常使用時の誤作動防止を一層図るために、図８のフローチャートに示す手順で回転数を表示させる。図８のフローチャートでは、決められた２つ（或いは３つ以上）のスイッチ入力が同時に且つ所定時間以上あったときのみ回転数を表示させ、その後、スイッチ入力が無くなると、通常の表示に戻る。
【００３２】
ところで、回転数を表示する方法として、図５に示す数字表示部５１で表示させる方法と、モード表示部５２で表示させる方法とが考えられる。
【００３３】
数字表示部５１では、計測した回転数そのものを表示することもできるが、モータ１４からのフィードバック信号（通常は回転数の整数倍）を表示するようにしてもよい。ここで回転数の整数倍とは、モータ１４に搭載される回転数検知手段４０であるホールＩＣの数の倍数であることを意味し、ホールＩＣが例えば、３個設けた場合は回転数の３倍という意味である。もちろん、実際の回転体１６の回転数をダイレクトで表示してもよい。
【００３４】
なお、数字表示部５１の桁数が少なくて、回転数を１度に表示しきれない場合にあっては、数字表示部５１に２回以上に分けて表示することで対応できる。例えば数字表示部５１の２桁Ｄ１，Ｄ２（図５）に１回目の表示（例えば、回転数の１桁目と２桁目のみ表示）を行い、その後、同じ数字表示部５１の２桁Ｄ１，Ｄ２に２回目の表示（例えば、３桁目と４桁目のみ表示）を行う。このとき、数字表示部５１のドットを点灯させたり、点滅させたりすることによって、１回目の表示と２回目の表示とを識別することが可能である。
【００３５】
また、数字表示部５１以外の表示（例えば、モード表示部５２のランプ、ＬＤ等）を点灯あるいは、点滅することにより、どの桁が表示されているかを明確にしてもよい。例えば、モード表示部５２を構成する４つのランプＬ１〜Ｌ４（図５）のうち、いずれか１つのランプＬ１を点灯させて数字表示部５１に１回目の表示（例えば、回転数が４桁の場合に、１桁目と２桁目のみ表示）を行い、その後、他の１つのランプＬ２を点灯させて数字表示部５１に２回目の表示（３桁目と４桁目のみ表示）を行うようにする。
【００３６】
また、数字表示部５１が仮に１桁であっても同様の表示を行うことによって、回転数を表示させることが可能になる。例えば、いずれか１つのランプ（例えばＬ１）を点灯させて数字表示部５１に１回目の表示（例えば、回転数の１桁目のみ表示）を行い、その後、他の１つのランプ（例えばＬ２）を点灯させて数字表示部５１に２回目の表示（２桁目のみ表示）を行い、この方法で４桁まで順に表示していくことによって４桁すべての回転数を１桁の数字表示部５１にて表示可能となる。
【００３７】
なお上記各表示方法において、数字表示部５１において回転数の表示桁を切り換える際には、切り換え用のスイッチ入力を別に追加してもよい。
【００３８】
一方、数字表示部５１がない場合にあっては、ユーザーによる通常使用時にダストや臭いのレベルを表示するためのモード表示部５２のみを利用して、計測した回転数を２進数で表示させることも可能である。例えば、モード表示部５２を構成するランプやＬＥＤが１０個あれば、その点灯・消灯の組み合わせによって、１０２４通りの表示が可能になり、回転数として１０２４回転までの表示が可能となる。または１０の位以上を表示する（１桁目を切り捨てる）ようにすれば、１０２４０回転までの表示が可能となる。また、数字表示と同様に回転数の各位を表示させるのであれば、最低４個のモード表示部５２があれば可能である。つまり、回転数の１桁目を４個のランプＬ１〜Ｌ４（図５）の点滅状態で２進数表示し、その後、２桁目を４個のランプＬ１〜Ｌ４の点滅状態で２進数表示し、このように回転数の各桁の数値を順番に切り換え表示することで、モード表示部５２のみを利用して回転数が表示可能となる。なお、上記ランプＬ１〜Ｌ４の切り替えは、スイッチ入力で行ってもよく、また、自動的に切り換えるようにしてもよいものである。このように、数字表示部５１が無くとも、２進数等の表示方法により通常のランプ等を利用して回転数の表示が可能となる。
【００３９】
また、本例の制御部４１は、回転体１６が外力により拘束されたときには制御信号により回転体１６を停止させるためのモータロック機能を備えている。本発明では、回転体１６の回転数をモータ１４からのフィードバック信号から検知する方式を採用しているので、フィードバック信号がない場合には、制御部４１はモータ１４が拘束されたと判断してモータ１４ヘの制御信号を停止する。これにより、通常の拘束検知手段よりも早くしかも確実に、回転体１６の拘束状態を検知でき、モータ１４ヘの電力供給を停止することによって、モータロック状態となり、回転体１６の回転が停止する。従って、異常時においても、より早く安全な状態にすることが可能となる。
【００４０】
前記実施形態では、ファン１６Ａなどの回転体１６が外部から見えない場所に配置されている場合を例示したが、もちろん、回転体１６が外部から見える場合に配置されている場合においても、本発明の回転数の計測方法を同様に適用できるものである。
【００４１】
【発明の効果】
上述のように請求項１記載の発明にあっては、空気を取り込むためのファン及びモータと、空気浄化用のフィルタと、これらを収納するハウジング等で構成され、上記モータにはモータをフィードバック制御するためにモータの回転数信号を出力する回転数検知手段が搭載されている空気清浄器において、上記モータの回転数検知手段からの回転数信号を取り込んでファン等の回転体の単位時間当たりの回転数を計測する計測回路と、計測した回転数を表示する表示部と、回転数表示のために決められた２つ以上のスイッチとを備え、上記決められた２つ以上のスイッチ入力が同時に且つ所定時間以上あったときのみ計測した回転数を表示させるように構成したので、出荷前の工場にて空気清浄器の特性項目の１つである回転体の回転数の計測を行うにあたって、モータに搭載されている回転数検知手段からの回転数信号（フィードバック信号）を取り込んで回転数を計測することによって、フィードバック制御が行われるモータの特性を利用して、回転数を容易に計測・表示することが可能となり、検査作業がはかどる。しかも、決められた２つ以上のスイッチ入力が同時に且つ所定時間以上あったときのみ計測した回転数を表示させるので、つまり、通常のスイッチの入力操作とは異なる入力操作で回転数を表示させるようにするので、ユーザーによる通常使用時の誤作動防止を図ることができる。
【００４２】
また請求項２記載の発明は、請求項１記載の効果に加えて、外部から見えない場所に配置されている回転体の単位時間当たりの回転数を計測して表示するので、従来のような反射式の回転数測定装置による回転数の計測を行うことができない場合であっても回転数の計測・表示が可能となる。
【００４３】
また請求項３記載の発明は、請求項１又は請求項２記載の効果に加えて、計測した回転数を数字で表示する数字表示部を備えているので、計測した回転数そのものを数字でダイレクトで表示することができる。また、出荷後のユーザー使用時に室内のダストや臭いのレベル表示用として使用される数字表示部がある場合には、この数字表示部を利用して回転数を表示することが可能となる。
【００４４】
また請求項４記載の発明は、請求項１又は請求項２記載の効果に加えて、計測した回転数をランプ・ＬＥＤ等の発光体で表示するモード表示部を備えているので、計測した回転数を例えばランプ等の点滅によって２進数で表示させることが可能となる。また、出荷後のユーザー使用時にダストや臭いのレベルを表示するためのモード表示部がある場合には、このモード表示部を利用して回転数を表示することが可能となる。
【００４５】
また請求項５記載の発明は、請求項１又は２記載の効果に加えて、回転数信号が入力されないときには回転体が外力により拘束されたと判断して制御信号により回転体を停止させるようにしたので、回転数信号によって通常の拘束検知手段よりも早くしかも確実に、回転体の拘束状態を検知でき、モータヘの電力供給を停止することによって、異常時においても、より早く安全な状態にすることが可能となる。
【図面の簡単な説明】
【図１】  本発明の実施形態の一例を示すブロック図である。
【図２】  同上の空気清浄器の一例の断面図である。
【図３】  同上の空気清浄器の他例を示し、（ａ）は平面図、（ｂ）は正面図である。
【図４】  同上の空気清浄器のグリルを取り除いた状態の正面図である。
【図５】  同上の操作パネル付近の正面図である。
【図６】  同上の操作パネルの他例を示し、（ａ）はダストセンサがない場合の正面図、（ｂ）は人体感知センサがない場合の正面図、（ｃ）は臭いセンサがない場合の正面図である。
【図７】  （ａ）は同上の操作パネルの更に他例を示す正面図、（ｂ）はダストセンサがない場合の正面図である。
【図８】  同上のファンの回転数を表示する手順の一例を示すフローチャートである。
【符号の説明】
７  ハウジング
１４  モータ
１６  ファン
１６Ａ  回転体
４０  回転数検知手段
４３  空気清浄器
５０  表示部
５１  数字表示部
５２  モード表示部
【図１】
0003772655.tif 000002
【図２】
0003772655.tif 000003
【図３】
0003772655.tif 000004
【図４】
0003772655.tif 000005
【図５】
0003772655.tif 000006
【図６】
0003772655.tif 000007
【図７】
0003772655.tif 000008
【図８】
0003772655.tif 000009